(57)【要約】  モバイルリレーのハンドオーバの同期タイミングの調整を管理するシステムおよび方法を開示する。本方法は、モバイルリレーのカバレージを第１のネットワークアクセスポイントから第２のネットワークアクセスポイントに再配置することと、ワイヤレス通信システムの非同期ネットワークにおいてモバイルリレーの同期タイミングを調整することとを含む。【選択図】    図４
2013502176.tif 000002
【特許請求の範囲】
【請求項１】
モバイルリレーのハンドオーバの同期タイミングの調整を管理するためのワイヤレス通信システムにおいて使用される方法であって、
前記モバイルリレーのカバレージを第１のネットワークアクセスポイントから第２のネットワークアクセスポイントに再配置することと、
前記ワイヤレス通信システムの非同期ネットワークにおいて前記モバイルリレーの同期タイミングを調整することと、
を備える方法。
【請求項２】
前記同期タイミングを調整することは、
前記第２のネットワークアクセスポイントに関連する異なる同期タイミングを示す信号を前記モバイルリレーが受信することと、なお、前記異なる同期タイミングは、前記第１のネットワークアクセスポイントに関連する現在の同期タイミングとは異なる、
前記異なる同期タイミングに従って前記モバイルリレーの前記同期タイミングを調整することと、
を含む、請求項１に記載の方法。
【請求項３】
（１）前記同期タイミングを調整することより前には前記第１のネットワークアクセスポイントと１つまたは複数のアクセス端末との間の通信、および（２）前記同期タイミングを調整することの後には前記第２のネットワークアクセスポイントと前記１つまたは複数のアクセス端末との間の通信を、前記モバイルリレーによってワイヤレス中継することをさらに備える、請求項２に記載の方法。
【請求項４】
前記モバイルリレーの同期タイミングを調整することは、
前記モバイルリレーによって、決定された結果として、前記第１のネットワークアクセスポイントから前記第２のネットワークアクセスポイントへの前記モバイルリレーの前記ハンドオーバのためにハンドオーバ動作が開始されるべきであるかどうかを決定することと、なお、前記決定することは、前記モバイルリレーによって、（１）前記第２のネットワークアクセスポイントからの信号レベル、または（２）前記ハンドオーバ動作を開始するように前記モバイルリレーに命令する、前記第１のネットワークアクセスポイントからのハンドオーバ命令、のうちの１つを検出することを含む、
前記決定された結果に基づいて、前記モバイルリレーを前記第１のネットワークアクセスポイントから前記第２のネットワークアクセスポイントにハンドオーバすることと、
を含む、請求項１に記載の方法。
【請求項５】
前記モバイルリレーのカバレージを再配置することは、前記第１のネットワークアクセスポイントに関連する第１の領域と、前記第２のネットワークアクセスポイントに関連する第２の領域との内部で前記モバイルリレーを移動することを含み、
前記モバイルリレーの同期タイミングを調整することは、前記モバイルリレーの前記同期タイミングを前記異なる同期タイミングに変更することを含み、前記方法は、
前記第１のネットワークアクセスポイントと１つまたは複数のアクセス端末との間から、前記第２のネットワークアクセスポイントと前記１つまたは複数のアクセス端末との間に通信を転送すること、
をさらに備える、請求項１に記載の方法。
【請求項６】
前記モバイルリレーによって、前記異なる同期タイミングを示す同期情報と、前記第２のネットワークアクセスポイントへの前記モバイルリレーのハンドオーバのためのサービス中断間隔を定義するサービス中断情報とをブロードキャストすることと、なお、前記モバイルリレーの同期タイミングを調整することは、前記サービス中断間隔の終了より前に行われる、
前記サービス中断間隔後に、前記同期情報中の前記異なる同期タイミングに従って前記１つまたは複数のアクセス端末の前記同期タイミングを調整することと、
をさらに備える、請求項２に記載の方法。
【請求項７】
ハンドオーバ動作を開始したことに応答して、前記モバイルリレーから、前記モバイルリレーによってサービスされる１つまたは複数のアクセス端末にハンドオーバコマンドを送ることをさらに備える、請求項２に記載の方法。
【請求項８】
（１）前記ハンドオーバコマンド中でランダムアクセスチャネルオケージョン情報を送ることと、
（２）前記ハンドオーバコマンド中に含まれる前記ランダムアクセスチャネルオケージョン情報を使用して、前記第２のネットワークアクセスポイントの前記異なる同期タイミングを、前記モバイルリレーによってサービスされる前記１つまたは複数のアクセス端末の各々が取得することと、
によって、前記ハンドオーバ動作中に、前記１つまたは複数のアクセス端末の各々と前記第２のネットワークアクセスポイントとの間のリンクを確立することと、
前記モバイルリレーと前記第２のネットワークアクセスポイントとの間のさらなるリンクを確立することと、
をさらに備える、請求項７に記載の方法。
【請求項９】
前記さらなるリンクを確立したことに応答して、
前記第２のネットワークアクセスポイントが前記１つまたは複数のアクセス端末にさらなるハンドオーバコマンドを送ることと、
前記１つまたは複数のアクセス端末を前記第２のネットワークアクセスポイントから前記モバイルリレーにハンドオーバすることによって前記１つまたは複数のアクセス端末の各々と前記モバイルリレーとの間の別のリンクを確立することと、
をさらに備える、請求項８に記載の方法。
【請求項１０】
通信を前記ワイヤレス中継することは、
前記モバイルリレーによって、１つまたは複数のバックホールリンクを使用して前記第１または第２のネットワークアクセスポイントと通信し、１つまたは複数のアクセスリンクを使用して前記１つまたは複数のアクセス端末の各々と通信することと、
前記モバイルリレーの前記バックホールリンクと前記アクセスリンクとに関連する前記同期タイミングを同時に調整することと、
を含む、請求項３に記載の方法。
【請求項１１】
前記モバイルリレーの同期タイミングを調整することは、前記モバイルリレーによってサービスされる前記１つまたは複数のアクセス端末への、前記アクセスリンクの前記同期タイミングが調整されているという通知を除いて、前記バックホールリンクと前記アクセスリンクとの同期タイミングを同時に調整することを含む、
請求項１０に記載の方法。
【請求項１２】
前記モバイルリレーと前記１つまたは複数のアクセス端末と前記第１および第２のネットワークアクセスポイントとはワイヤレスネットワークを介して通信し、前記方法は、前記１つまたは複数のアクセス端末の各々によって、無線リンク障害に応答して前記ワイヤレス通信システムへのリンクを再確立することをさらに備える、請求項１０に記載の方法。
【請求項１３】
ハンドオーバ動作を開始することより前に、前記モバイルリレーによって、無線リンク障害間隔を調整するためにコマンドを送ることをさらに備える、請求項１０に記載の方法。
【請求項１４】
通信を前記ワイヤレス中継することは、
前記モバイルリレーによって、１つまたは複数のバックホールリンクを使用して前記第１または第２のネットワークアクセスポイントと通信し、１つまたは複数のアクセスリンクを使用して１つまたは複数のアクセス端末の各々と通信することと、
前記アクセスリンクに関連する前記同期タイミングの調整を除いて、前記バックホールリンクに関連する前記同期タイミングを調整することと、
を含む、請求項３に記載の方法。
【請求項１５】
前記バックホールリンクの各々のために使用される複数の連続サブフレームを確立することをさらに備える、請求項１４に記載の方法。
【請求項１６】
前記モバイルリレーによって、１つまたは複数のバックホールリンクを使用して前記第１または第２のネットワークアクセスポイントと通信し、１つまたは複数のアクセスリンクを使用して１つまたは複数のアクセス端末の各々と通信すること
をさらに備え、
前記リレーの同期タイミングを調整することは、
前記バックホールリンクに関連する同期タイミングを調整することと、
前記モバイルリレーの前記バックホールリンクに関連する前記同期タイミングが前記異なる同期タイミングに調整されたことに応答して、前記モバイルリレーによって、移行期間中に前記アクセスリンクの同期タイミングを前記現在の同期タイミングから前記異なる同期タイミングに移行させることと、
を含む、
請求項１に記載の方法。
【請求項１７】
前記アクセスリンクの同期タイミングを移行させることは、前記１つまたは複数のアクセス端末が所定の時間に前記モバイルリレーにハンドオーバされるべきであることを示すハンドオーバコマンドを前記移行期間中に前記１つまたは複数のアクセス端末に送ることを含む、請求項１６に記載の方法。
【請求項１８】
前記アクセスリンクの同期タイミングを移行させることは、前記移行期間中に前記モバイルリレーと前記アクセス端末との間の通信を維持するのに十分遅いレートで前記アクセスリンクの前記同期タイミングを調整することを含む、請求項１６に記載の方法。
【請求項１９】
前記モバイルリレーによって、前記モバイルリレーにハンドオーバされるべき前記１つまたは複数のアクセス端末の各々についての順番を決定することと、
前記決定された順番で所定の時間後に前記１つまたは複数のアクセス端末の各々をハンドオーバするために、前記モバイルリレーによってランダムアクセスプロシージャを開始することと、
をさらに備える、請求項１６に記載の方法。
【請求項２０】
前記同期タイミングを調整することは、
前記受信した信号から前記第２のネットワークアクセスポイントに関連する前記同期タイミングを決定することと、
前記モバイルリレーの前記同期タイミングを前記決定された同期タイミングにロックすることと、
を含む、請求項１に記載の方法。
【請求項２１】
前記モバイルリレーから、前記モバイルリレーによってサービスされる前記１つまたは複数のアクセス端末にハンドオーバコマンドを送ることと、なお、前記ハンドオーバコマンドは、前記１つまたは複数のアクセス端末をサービスするセルとは異なる新しいセルの新しい物理セル識別子を示す、
前記１つまたは複数のアクセス端末の各々によって、前記新しい物理セル識別子に対応する前記新しいセルからの信号を探索することと、
前記１つまたは複数のアクセス端末によって、前記信号から、前記新しい物理セル識別子に対応する前記新しいセルの前記同期タイミングを決定することと、
前記１つまたは複数のアクセス端末の各々の前記同期タイミングを前記決定された同期タイミングにロックすることと、
をさらに備える、請求項１に記載の方法。
【請求項２２】
ワイヤレス通信システムにおいて動作可能なモバイルリレーであって、
前記モバイルリレーのカバレージをソース基地局からターゲット基地局に再配置し、前記ワイヤレス通信システムの非同期ネットワークにおいて前記モバイルリレーのタイミングを調整するためのプロセッサと、
データを記憶するための、前記プロセッサに結合されたメモリと、
を備える、モバイルリレー。
【請求項２３】
前記プロセッサは、前記モバイルリレーの現在の同期タイミングとは異なる、前記ターゲット基地局の同期タイミングを示す信号を受信し、前記受信した信号において示される前記同期タイミングに基づいて前記モバイルリレーの前記同期タイミングの調整を制御し、前記モバイルリレーは、
前記受信した信号において示される前記同期タイミングに同期された情報を外部に通信するための送信機
をさらに備える、請求項２２に記載のモバイルリレー。
【請求項２４】
前記モバイルリレーは、前記ソース基地局に対応するワイヤレス通信システムの第１の領域と、前記ターゲット基地局に対応する前記ワイヤレス通信システムの第２の領域との間で移動可能である、請求項２３に記載のモバイルリレー。
【請求項２５】
前記プロセッサは、（１）前記ターゲット基地局からの信号、または（２）前記ソース基地局からの命令、のうちの１つを検出したことに基づいて、前記モバイルリレーを前記ソース基地局から前記ターゲット基地局にハンドオーバするためにハンドオーバ動作が開始されるべきであるかどうかを決定する、請求項２３に記載のモバイルリレー。
【請求項２６】
前記ハンドオーバ動作を開始することより前に、前記プロセッサは、前記１つまたは複数のアクセス端末への、無線リンク障害間隔を調整するためのコマンドの送信を制御する、請求項２５に記載のモバイルリレー。
【請求項２７】
前記ハンドオーバ動作を開始したことに応答して、（１）前記モバイルリレーは、前記ターゲット基地局の前記同期タイミングを示す同期情報と、前記ターゲット基地局への前記モバイルリレーのハンドオーバのためのサービス中断間隔を定義するサービス中断情報とをブロードキャストし、（２）前記プロセッサは、前記サービス中断間隔中に完了するように前記モバイルリレーの前記タイミングの前記調整を制御する、請求項２６に記載のモバイルリレー。
【請求項２８】
前記モバイルリレーは、１つまたは複数のバックホールリンクを使用して前記ソース基地局または前記ターゲット基地局と通信し、１つまたは複数のアクセスリンクを使用して１つまたは複数のアクセス端末と通信し、前記バックホールリンクと前記アクセスリンクとに関連する前記同期タイミングを同時に調整する、請求項２３に記載のモバイルリレー。
【請求項２９】
前記モバイルリレーは、１つまたは複数のバックホールリンクを使用して前記ソース基地局または前記ターゲット基地局と通信し、１つまたは複数のアクセスリンクを使用して１つまたは複数のアクセス端末と通信し、前記アクセスリンクの前記同期タイミングの調整を除いて、前記バックホールリンクに関連する前記同期タイミングを調整する、請求項２３に記載のモバイルリレー。
【請求項３０】
非同期ワイヤレスネットワークシステムにおいて動作可能な装置であって、
モバイルリレーのカバレージをソース基地局からターゲット基地局に再配置するための手段と、
前記非同期ワイヤレスネットワークにおいて前記モバイルリレーの時間を調整するための手段と、
を備える装置。
【請求項３１】
第１のネットワークアクセスポイントと１つまたは複数のアクセス端末とを含むワイヤレスネットワークであって、
前記第１のネットワークアクセスポイントと前記１つまたは複数のアクセス端末との間の通信をワイヤレス中継するように動作可能なモバイルリレーと、なお、前記モバイルリレーは、前記第１のネットワークアクセスポイントに関連する現在の同期タイミングを有する、
第２のネットワークアクセスポイントに関連する異なる同期タイミングを示すメッセージを送信する前記第２のネットワークアクセスポイントと、なお、前記異なる同期タイミングは、前記現在の同期タイミングとは異なる、
を備え、
前記モバイルリレーは、前記第１のネットワークアクセスポイントと前記１つまたは複数のアクセス端末との間から、前記第２のネットワークアクセスポイントと前記１つまたは複数のアクセス端末との間に通信を転送するために、前記異なる同期タイミングに従って前記モバイルリレーの前記同期タイミングを調整する、
ワイヤレスネットワーク。
【請求項３２】
前記モバイルリレーは、１つまたは複数のバックホールリンクを使用して前記第１または第２のネットワークアクセスポイントと通信し、１つまたは複数のアクセスリンクを使用して前記１つまたは複数のアクセス端末の各々と通信し、
前記モバイルリレーは、前記異なる同期タイミングに従って前記バックホールリンクの同期タイミングを調整し、前記アクセスリンクの前記現在の同期タイミングを維持する、
請求項３１に記載のワイヤレスネットワーク。
【請求項３３】
第１のネットワークアクセスポイントと少なくとも１つのアクセス端末との間の通信をワイヤレス中継することと、
第２のネットワークアクセスポイントに関連する異なる同期タイミングを示す同期情報を受信することと、なお、前記異なる同期タイミングは、モバイルリレーの現在の同期タイミングとは異なる、
前記異なる同期タイミングに従って前記モバイルリレーの前記同期タイミングを調整することと、
を行うためのコードを備えるコンピュータ可読媒体
を備える、コンピュータプログラム製品。
【請求項３４】
モバイルリレーのカバレージをソース基地局からターゲット基地局に再配置することと、
非同期ネットワークにおいて前記モバイルリレーの時間を調整することと、
を行うためのコードを備えるコンピュータ可読媒体
を備える、コンピュータプログラム製品。
【発明の詳細な説明】
【関連出願の相互参照】
【０００１】
本出願は、その内容全体が参照により本明細書に組み込まれる、２００９年８月１２日に出願された「Systems and Methods of Mobile Relay Mobility In Asynchronous Networks」と題する米国特許仮出願第６１／２３３，２６８号の利益を主張する。
【技術分野】
【０００２】
以下の説明は、概してワイヤレス通信に関し、特に、そのような通信のために１つまたは複数のモバイルリレーを使用することに関する。
【背景技術】
【０００３】
ワイヤレス通信システムは、音声およびデータなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムである。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。概して、ワイヤレス多元接続通信システムは、複数のワイヤレスデバイスのための通信を同時にサポートすることができる。
【０００４】
そのようなシステムでは、カバレージエリアを生成するために基地局が使用される。モバイルデバイスは、基地局とモバイルデバイスとの間で情報を転送するために、そのカバレージエリアにおいて特定の基地局との双方向リンクを確立することができる。モバイルデバイスが特定の基地局のカバレージエリアの外側に移動すると、基地局との通信が途切れることがある。一般に、モバイルデバイスがより好適な基地局に移動するようにハンドオーバが行われる。
【発明の概要】
【０００５】
非同期ネットワークにおいてモバイルリレーのハンドオーバをサポートするための様々なタイミング調整プロシージャを本明細書で開示する。一態様では、モバイルリレーのカバレージが第１のネットワークアクセスポイントから第２のネットワークアクセスポイントに再配置され、モバイルリレーの同期タイミングが調整される。
【０００６】
別の態様では、モバイルリレーは、ワイヤレス通信システムにおいて動作し、（１）モバイルリレーのカバレージをソース基地局からターゲット基地局に再配置するため、およびワイヤレス通信システムの非同期ネットワークにおいてモバイルリレーのタイミングを調整するためのプロセッサと、（２）プロセッサに結合された、データを記憶するためのメモリとを含む。
【０００７】
さらなる態様では、第１のネットワークアクセスポイントと１つまたは複数のアクセス端末とを有するワイヤレスネットワークは、（１）第１のネットワークアクセスポイントと１つまたは複数のアクセス端末との間の通信をワイヤレス中継するように動作可能なモバイルリレーであって、第１のネットワークアクセスポイントに関連する現在の同期タイミングを有する、モバイルリレーと、（２）第２のネットワークアクセスポイントに関連する異なる同期タイミングを示すメッセージを送信する第２のネットワークアクセスポイントであって、異なる同期タイミングが現在の同期タイミングとは異なる、第２のネットワークアクセスポイントとを含む。モバイルリレーは、第１のネットワークアクセスポイントと１つまたは複数のアクセス端末との間から、第２のネットワークアクセスポイントと１つまたは複数のアクセス端末との間に通信を転送するために、異なる同期タイミングに従ってモバイルリレーの同期タイミングを調整する。
【０００８】
本開示の特徴、性質、および利点は、図面とともに、以下に記載する詳細な説明を読めばより明らかになろう。慣例により、図面の様々な特徴／要素は一定の縮尺で描かれていないことがある。共通の参照番号は同様の特徴／要素を表す。図面には以下の図が含まれている。
【図面の簡単な説明】
【０００９】
【図１】多元接続ワイヤレス通信システムを示す図。
【図２】別のワイヤレス通信システムを示すブロック図。
【図３】例示的な実施形態による、モバイルリレーとソースおよびターゲットネットワークアクセスポイントとを示す例示的なシステムを示す図。
【図４】別の例示的な実施形態による、モバイルリレーを含む多元接続ワイヤレス通信システムを示す図。
【図５】図４のワイヤレス通信システムのマクロセルを示す図。
【図６】様々な例示的な実施形態による、モバイルリレー、アクセス端末、およびソース／ターゲットネットワークアクセスポイントの間の例示的なメッセージ交換を示すタイミング図。
【図７】様々な例示的な実施形態による、モバイルリレー、アクセス端末、およびソース／ターゲットネットワークアクセスポイントの間の別の例示的なメッセージ交換を示すタイミング図。
【図８】様々な例示的な実施形態による、モバイルリレー、アクセス端末、およびソース／ターゲットネットワークアクセスポイントの間のさらなる例示的なメッセージ交換を示すタイミング図。
【図９】様々な例示的な実施形態による、モバイルリレー、アクセス端末、およびソース／ターゲットネットワークアクセスポイントの間のさらに別の例示的なメッセージ交換を示すタイミング図。
【図１０】モバイルリレーのためのタイミングを調整する例示的な方法を示すフローチャート。
【発明の詳細な説明】
【００１０】
本明細書で実施形態を例示して説明するが、実施形態は示された詳細に限定されるものではない。そうではなく、特許請求の範囲の同等物の範囲内で本開示の範囲から逸脱することなく細部において様々な改変が行われ得る。
【００１１】
様々な例示的な実施形態は、１つのネットワークアクセスポイント（ＮＡＰ）から別のＮＡＰへのハンドオーバ動作を可能にするために同期されないＮＡＰ、たとえば基地局を有する非同期ネットワーク中のアクセス端末（たとえば、モバイルリレーおよび／またはユーザ機器（ＵＥ））のタイミング調整を可能にする。
【００１２】
様々な例示的な実施形態について、本明細書でＬＴＥシステムに関して説明するが、本明細書で説明するアクセス端末およびタイミング調整プロシージャは、特にＣＤＭＡネットワーク、ＴＤＭＡネットワーク、ＦＤＭＡネットワーク、ＯＦＤＭＡネットワークおよびシングルキャリアＦＤＭＡ（ＳＣ−ＦＤＭＡ）ネットワークなど、他の通信ネットワークに適用され得ることが当業者によって理解される。「ネットワーク」および「システム」という用語は互換的に使用されることがある。
【００１３】
ＣＤＭＡネットワークは、特に汎用地上波無線アクセス（ＵＴＲＡ）、またはｃｄｍａ２０００などの無線技術を実装する。ＵＴＲＡは、Ｗｉｄｅｂａｎｄ  ＣＤＭＡ（Ｗ−ＣＤＭＡ）または低チップレート（ＬＣＲ）を含む。ｃｄｍａ２０００は、ＩＳ−２０００、ＩＳ−９５またはＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装する。ＯＦＤＭＡネットワークは、特に進化型ＵＴＲＡ（Ｅ−ＵＴＲＡ）、ＩＥＥＥ８０２．１１、ＩＥＥＥ８０２．１６、ＩＥＥＥ８０２．２０、またはＦｌａｓｈ−ＯＦＤＭ（登録商標）の無線技術を実施する。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥは、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。ＳＣ−ＦＤＭＡシステムは、シングルキャリア変調および周波数領域等化を使用し、ＯＦＤＭＡシステムと同様のパフォーマンスおよび本質的に同じ全体的な複雑さを有する。ＳＣ−ＦＤＭＡ信号は、ＳＣ−ＦＤＭＡのシングルキャリア構造のためにより低いピーク対平均電力比（ＰＡＰＲ）を有する。より低いＰＡＰＲは送信電力効率の点でアクセス端末にとって有利であるので、ＳＣ−ＦＤＭＡは現在、３ＧＰＰ  ＬＴＥまたはＥ−ＵＴＲＡにおけるアップリンク多元接続方式に関する実用的な前提である。
【００１４】
図１は、多元接続ワイヤレス通信システム１００を示す図である。
【００１５】
図１を参照すると、多元接続ワイヤレス通信システム１００は、１つまたは複数のアクセス端末１１６および１２２（たとえば、特にユーザ機器、モバイルデバイスまたは他の通信機器）と通信している１つまたは複数のネットワークアクセスポイント（ＮＡＰ）１０２  （たとえば、基地局または他の通信デバイス）を含む。
【００１６】
各ＮＡＰ１０２は複数のセクタにカバレージを与える。ＮＡＰ１０２は、カバレージエリア（たとえば、特定の地理的領域）をもつ固定局であり、カバレージエリア中のアクセス端末１１６および１２２と通信する。複数のアンテナグループ（たとえば、第１のアンテナグループはアンテナ１０４および１０６を含み、第２のアンテナグループはアンテナ１０８および１１０を含み、第３のアンテナグループはアンテナ１１２および１１４を含む）を含む３セクタＮＡＰ１０２が示されている。ＮＡＰのセクタは、概してアンテナグループに関連するエリアまたは地理的領域を指す。たとえば、ＮＡＰ１０２は、セクタのうちの１つにおいて第１のアンテナグループ１０４：１０６を介してアクセス端末１２２と通信する。
【００１７】
アンテナグループごとに２つアンテナが示されているが、アンテナグループごとにより多いアンテナまたはより少ないアンテナが使用されることが企図される。３セクタＮＡＰが示されているが、より多いセクタまたはより少ないセクタがＮＡＰによって実装されることが企図される。
【００１８】
アンテナ１１２および１１４が、順方向リンク１２０を介して情報をアクセス端末１１６に送信し（または送り）、逆方向リンク１１８を介してアクセス端末１１６から情報を受信するように、アクセス端末１１６はアンテナ１１２および１１４を介してＮＡＰ１０２と通信する。順方向リンク（またはダウンリンク）は概してＮＡＰからアクセス端末への通信リンクを指し、逆方向リンク（またはアップリンク）は概してアクセス端末からＮＡＰへの通信リンクを指す。アンテナ１０４および１０６が順方向リンク１２６を介して情報をアクセス端末１２２に送信し（または送り）、逆方向リンク１２４を介してアクセス端末１２２から情報を受信するように、アクセス端末１２２はアンテナ１０４および１０６を介してＮＡＰ１０２と通信する。周波数分割複信（ＦＤＤ）システムでは、順方向および逆方向リンク１１８、１２０、１２４および１２６は、通信のための異なる周波数を使用する。いくつかの例示的な実施形態では、順方向リンク１２０および１２６は、逆方向リンク１１８および１２４によって使用される周波数（または周波数帯域）とは異なる周波数（または周波数帯域）を使用する。
【００１９】
順方向リンク１２０および１２６を介した通信では、ＮＡＰ１０２のアンテナ１０４：１０６および１１２：１１４は、順方向リンク１２０および１２６の信号対雑音比を改善するためにビームフォーミングを使用する。アクセス端末１１６および１２２への送信のためにＮＡＰ１０２からのビームフォーミングを使用することによって、近隣セル中のアクセス端末に対して、ＮＡＰ１０２のための単一のアンテナ構成と比較して干渉の低減が実現される。
【００２０】
図２は、ＮＡＰ２１０とアクセス端末２５０とを含む例示的な多入力多出力（ＭＩＭＯ）ワイヤレス通信システム２００を示す図である。ワイヤレス通信システム２００は、簡潔のために１つのＮＡＰと１つのアクセス端末２５０とを示しているが、システム２００が２つ以上のＮＡＰおよび／または２つ以上のアクセス端末を含み得ることが当業者により理解される。
【００２１】
各アクセス端末２５０は、順方向リンクおよび逆方向リンク上の送信を介して１つまたは複数のＮＡＰ２１０と通信する。これらの通信リンクは、単入力単出力、多入力単出力、またはＭＩＭＯシステムを介して確立される。ＭＩＭＯシステムは、データ伝送のために複数（ＮT）個の送信アンテナと複数（ＮR）個の受信アンテナとを使用する。ＮT個の送信アンテナおよびＮR個の受信アンテナによって形成されたＭＩＭＯチャネルは、空間チャネルとも呼ばれるＮS個の独立チャネルに分解され、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が使用された場合、ＭＩＭＯシステムは改善されたパフォーマンス（たとえば、より高いスループットおよび／またはより大きい信頼性）を与える。
【００２２】
ＭＩＭＯシステムは時分割複信（ＴＤＤ）またはＦＤＤシステムをサポートする。ＴＤＤシステムでは、順方向リンクチャネル応答が逆方向リンクチャネル応答（たとえば、測定された逆方向リンクチャネル応答）から推定されるように、順方向および逆方向リンク送信は同じ周波数領域（たとえば、周波数帯域）を使用する。順方向リンクチャネル応答の推定から、ＮＡＰ２１０において複数のアンテナが使用されるとき、ＮＡＰ２１０は順方向リンク上の電力レベルおよびビームフォーミング利得を調整する。
【００２３】
ＮＡＰ２１０において、いくつかのデータストリームのトラフィックデータがデータソース２１２から送信（ＴＸ）データプロセッサ２１４に供給される。いくつかの例示的な実施形態では、各データストリームは、それぞれの送信アンテナ２２４ａ〜２２４ｔを介して送信される。ＴＸデータプロセッサ２１４は、各データデータストリーム用に選択された特定の符号化方式に基づいて、データストリームごとにトラフィックデータをフォーマットし、符号化し、インターリーブして、符号化データを供給する。
【００２４】
各データストリームの符号化データは、たとえば、直交周波数分割多重（ＯＦＤＭ）技法を使用してパイロットデータと多重化される。追加または代替として、パイロットシンボルは、周波数分割多重（ＦＤＭ）、時分割多重（ＴＤＭ）、符号分割多重（ＣＤＭ）または他の技法を使用した多重化である。パイロットデータは、一般に、知られている方法で処理される、知られているデータパターンであり、チャネル応答を推定するためにアクセス端末２５０において使用される。各データストリームの多重化されたパイロットおよび符号化データは、特定の変調方式（特に、たとえば、２位相偏移キーイング（ＢＰＳＫ）、４位相偏移キーイング（ＱＰＳＫ）、Ｍ位相偏移キーイング（Ｍ−ＰＳＫ）、または多値直交振幅変調（Ｍ−ＱＡＭ））に基づいて変調（たとえば、シンボルマッピング）される。各データストリームのためのデータレート、符号化、および変調は、プロセッサ２３０上で実行されるかまたはプロセッサ２３０によって供給される命令によって決定される。
【００２５】
ＮＡＰ２１０のＴＸ  ＭＩＭＯプロセッサ２２０は、各データストリームのためのＴＸデータプロセッサ２１４から変調シンボルを受信し、変調シンボルを（たとえば、ＯＦＤＭ用に）さらに処理する。ＴＸ  ＭＩＭＯプロセッサ２２０は、ＮT個の変調シンボルストリームをＮT個の送信機（ＴＭＴＲ）２２２ａ〜２２２ｔに供給する。様々な実施形態では、ＴＸ  ＭＩＭＯプロセッサ２２０は、データストリームのシンボルと、シンボルの送信元のアンテナとにビームフォーミング重みを適用する。
【００２６】
各送信機２２２ａ〜２２２ｔは、それぞれのシンボルストリームを受信し、処理して、１つまたは複数のアナログ信号を生成し、さらに、１つまたは複数のアナログ信号を調整（たとえば、増幅、フィルタ処理、および／またはアップコンバート）して、ＭＩＭＯチャネルを介して送信するのに適した変調信号を供給する。送信機２２２ａ〜２２２ｔからのＮT個の変調信号は、それぞれＮT個のアンテナ２２４ａ〜２２４ｔから送信される。
【００２７】
アクセス端末２５０において、送信された被変調信号は、ＮRアンテナ２５２ａ〜２５２ｒを介して受信される。各アンテナ２５２ａ〜２５２ｒから受信した信号は、それぞれの受信機（ＲＣＶＲ）２５４ａ〜２５４ｒに供給される。各受信機２５４ａ〜２５４ｒは、受信信号を調整（たとえば、増幅、フィルタ処理、および／または、ダウンコンバート）し、調整された信号をデジタル化してサンプルを供給し、サンプルを処理してＮＡＰ２１０によって送られたストリームに対応するシンボルストリームを供給する。
【００２８】
ＲＸデータプロセッサ２６０は、特定の受信機を処理している技法に基づいて、ＮR個の受信機２５４ａ〜２５４ｒからＮR個の受信シンボルストリームを受信し、処理して、ＮT個の「発見された」シンボルストリームを供給する。ＲＸデータプロセッサ２６０は、各検出シンボルストリームを復調し、デインターリーブし、および／または復号して、データストリームのトラフィックデータを復元する。ＲＸデータプロセッサ２６０による処理は、ＮＡＰ２１０におけるＴＸ  ＭＩＭＯプロセッサ２２０およびＴＸデータプロセッサ２１４によって実行される処理を補足するものである。
【００２９】
プロセッサ２７０は、（たとえば、周期的に、システムパフォーマンスに基づいて、または所定の間隔中に）どのプリコーディング行列を使用すべきかを決定する。プロセッサ２７０は、行列インデックス部とランク値部とを含む逆方向リンクメッセージを作成する。
【００３０】
逆方向リンクメッセージは、通信リンクおよび／または受信データストリームに関する様々なタイプの情報を含む。逆方向リンクメッセージはＴＸデータプロセッサ２３８によって処理される。ＴＸデータプロセッサ２３８は、データソース２３６からいくつかのデータストリームのトラフィックデータを受信し、次いで変調器２８０によって変調され、送信機２５４ａ〜２５４ｒによって調整され、ＮＡＰ２１０に戻される。
【００３１】
ＮＡＰ２１０では、アクセス端末２５０からの変調信号は、アンテナ２２４ａ〜２２４ｔによって受信され得、受信機２２２ａ〜２２２ｔによって調整され得、復調器２４０によって復調され、アクセス端末２５０によって送信された逆方向リンクメッセージを抽出するためにＲＸデータプロセッサ２４２によって処理される。プロセッサ２３０は、抽出されたメッセージを処理して、ビームフォーミング重みを決定するためにどのプリコーディング行列を使用すべきかを決定する。
【００３２】
プロセッサ２３０および２７０は、それぞれＮＡＰ２１０およびアクセス端末２５０の動作を指示（たとえば、制御、調整または管理）する。メモリ２３２および２７２は、それぞれプロセッサ２３０および２７０に関連する。メモリ２３２は、プロセッサ２３０上で実行するためのプログラムコードおよびデータを記憶し、メモリ２７２は、プロセッサ２７０上で実行するためのプログラムコードおよびデータを記憶する。プロセッサ２３０および２７０は、それぞれアップリンクおよびダウンリンクについて周波数推定値とインパルス応答推定値とを導出するための計算を実行する。
【００３３】
図３は、モバイルリレー３１０と、（ソースｅＮＢまたはソース基地局とも呼ばれる）ソースＮＡＰ３１２と、（ターゲットｅＮＢまたはターゲット基地局とも呼ばれる）ターゲットＮＡＰ３１４とを示す例示的なシステム３００を示す図である。モバイルリレー３１０は、車両または他の可動プラットフォームなど、モバイルプラットフォーム３２０上に配置され、モバイルリレー３１０の測位および関連するカバレージは、ソースｅＮＢ３１２からターゲットｅＮＢ３１４に転送される。モバイルプラットフォーム３２０を再配置する間に、モバイルリレー３１０によってサービスされる接続された状態のアクセス端末３１６または３１８（たとえば、ユーザ機器）へのサービス中断を低減するために、モバイルリレー３１０は、モバイルリレー３１０の同期タイミングをソースｅＮＢ３１２の同期タイミングからターゲットｅＮＢ３１４の同期タイミングに調整する。すなわち、ソースｅＮＢ３１２とターゲットｅＮＢ３１４とが互いに非同期であるとき、モバイルリレー３１０は、モバイルリレー３１０をサービスすべきであるソースｅＮＢ３１２またはターゲットｅＮＢ３１４の同期タイミングに設定される。
【００３４】
モバイルリレー３１０は、プロセッサ２３０を含むＮＡＰ２１０と同じかまたは実質的に同様の構成要素を含む。プロセッサ２３０は、モバイルリレー３１０のカバレージをソース基地局３１２からターゲット基地局３１４に再配置するため、およびモバイルリレー３１０のタイミングを調整するために使用される。メモリ２３２は、データを記憶するためにプロセッサ２３０に結合される。プロセッサ２３０は、（モバイルリレー３１０の現在の同期タイミングとは異なる）ターゲット基地局３１４の同期タイミングを示す信号を受信し、受信信号中に示された同期タイミングに基づいてモバイルリレー３１０の同期タイミングの調整を制御する。モバイルリレー３１０は、受信信号中に示された同期タイミングに同期された情報を外部に通信するための１つまたは複数の送信機／受信機２２２ａ．．．２２２ｔをさらに含む。プロセッサ２３０は、（１）ターゲット基地局３１４からの信号、または（２）ソース基地局３１２からの命令のうちの１つを検出したことに基づいて、モバイルリレー３１０をソース基地局３１２からターゲット基地局３１４にハンドオーバするためにハンドオーバ動作を開始すべきであるかどうかを決定する。モバイルリレー３１０のプロセッサ２３０は、無線リンク障害間隔(a radio link failure interval)を調整するために、１つまたは複数のアクセス端末３１６および３１８へのコマンドの送信を制御する。
【００３５】
いくつかの実施形態では、同期タイミングの調整は、たとえば、ターゲットｅＮＢ３１４からの入来信号に基づき、入来信号中の既知のパイロットシンボルまたは入来信号中の同期情報から決定される。すなわち、たとえば、既知のパイロットシンボルのタイミングが決定され、モバイルリレー３１０の同期タイミングを調整するために使用される。さらに、信号は、各サブフレームの適切な同期（たとえば、ロケーション）を決定するためにも使用されるフレーム構造（たとえば、異なるタイプの制御データまたはペイロードデータのシーケンス）を含む。
【００３６】
図４は、非同期ネットワーク中のモバイルリレー４２０ａのタイミング調整を可能にするように構成された例示的なワイヤレス通信システム４００を示す。ワイヤレス通信システム４００は、ＬＴＥシステムまたは何らかの他のシステムである。ワイヤレス通信システム４００は、複数のセル、たとえば、マクロセル４０２ａ、４０２ｂ．．．４０２ｇ内に通信を与える。各マクロセル４０２ａ、４０２ｂ．．．４０２ｇは、対応するネットワークアクセスポイントＮＡＰまたはｅＮＢ４０４ａ、４０４ｂ．．．４０４ｇによってサービスされる。各マクロセル４０２ａ、４０２ｂ．．．４０２ｇは、さらに１つまたは複数のセクタに分割される。様々なデバイス（たとえば、アクセス端末４０６ａ、４０６ｂ．．．４０６ｋ）は、ワイヤレス通信システム４００全体にわたって点在する。各アクセス端末４０６ａ、４０６ｂ．．．４０６ｋは、たとえば、アクセス端末４０６ａ、４０６ｂ．．．４０６ｋがアクティブかどうか、およびアクセス端末４０６ａ、４０６ｂ．．．４０６ｋがソフトハンドオーバ中かどうかに応じて、所与の瞬間に順方向リンク（「ＦＬ」）および／または逆方向リンク（「ＲＬ」）上で１つまたは複数のＮＡＰまたはｅＮＢ４０４ａ、４０４ｂ．．．４０４ｇと通信する。ワイヤレス通信システム４００は大きい地理的領域にわたってサービスを提供し、たとえば、マクロセル４０２ａ、４０２ｂ．．．４０２ｇは近傍の数個のブロックをカバーし、モバイルリレー４２０ａを再配置することを可能にする。
【００３７】
図５は、モバイルリレー４２０ａの動作を示すためにワイヤレス通信システム４００のマクロセル４０２ａを示す図である。図５を参照すると、モバイルリレー４２０ａは、アップストリーム（たとえば、ｅＮＢ４０４ａまたはアクセス端末４０６ｂ）からデータおよび／または他の情報の送信を受信し、データおよび／または他の情報の送信をダウンストリーム（たとえば、アクセス端末４０６ｂまたはｅＮＢ４０４ａ）に送る（たとえば、中継する）デバイスである。モバイルリレー４２０ａは、他のアクセス端末のための送信を中継するアクセス端末（またはユーザ機器（ＵＥ））である。モバイルリレー４２０ａは、ｅＮＢ４０４ａとアクセス端末４０６ｂとの間の通信を可能にするために、ｅＮＢ４０４ａおよびアクセス端末４０６ｂと通信する。
【００３８】
アクセス端末４０６ａおよび４０６ｂは、マクロセル４０２ａの内側または外側に位置し得、各アクセス端末４０６ａおよび４０６ｂは固定である（たとえば、実質的にまたは完全に固定されている）こともモバイルであることもある。アクセス端末４０６ａおよび４０６ｂは、特にセルラー電話、携帯情報端末（ＰＤＡ）、ワイヤレスモデム、ワイヤレス通信デバイス、ハンドヘルドデバイス、ラップトップコンピュータ、コードレス電話および／またはワイヤレスローカルループ（ＷＬＬ）局として機能する。アクセス端末４０６ａは、ダウンリンク４２２および／またはアップリンク４２４を使用してｅＮＢ４０４ａと直接通信する。アクセス端末４０６ｂは、モバイルリレー４２０ａを使用して、バックホールダウンリンク４４２、バックホールアップリンク４４４、アクセスダウンリンク４５２および／またはアクセスアップリンク４５４を介してｅＮＢ４０４ａと通信する。
【００３９】
ダウンリンク（または順方向リンク）は、（１）ｅＮＢ４０４ａからモバイルリレー４２０ａへ、またはモバイルリレー４２０ａからアクセス端末４０６ｂへの通信リンク、あるいは（２）ｅＮＢ４０４ａからアクセス端末４０６ａへの通信リンクを指す。アップリンク（または逆方向リンク）は、（１）アクセス端末４０６ａまたは４０６ｂからｅＮＢ４０４ａまたはモバイルリレー４２０ａへの通信リンク、あるいは（２）モバイルリレー４２０ａからｅＮＢ４０４ａへの通信リンクを指す。
【００４０】
概して、各ｅＮＢは任意の数のアクセス端末および任意の数のモバイルリレーと通信し、各モバイルリレーは任意の数のｅＮＢおよび任意の数のアクセス端末と通信する。
【００４１】
多元接続ワイヤレス通信システム４００は、たとえば、ダウンリンク４２２、４４２および４５２上で直交周波数分割多重（ＯＦＤＭ）を使用し、アップリンク４２４、４４４および４５４上でシングルキャリア周波数分割多重（ＳＣ−ＦＤＭ）を使用するＬＴＥを使用する。ＯＦＤＭとＳＣ−ＦＤＭとは、特に、周波数範囲を、一般にトーン、ビンなどとも呼ばれる複数（ＮFFT個）の直交サブキャリアに区分する。各サブキャリアはデータで変調される。一般に、変調シンボルは、ＯＦＤＭでは周波数領域で、ＳＣ−ＦＤＭでは時間領域で送信される。隣接するサブキャリア間の間隔は固定であり、サブキャリアの総数（ＮFFT）はシステム帯域幅に依存する。たとえば、ＮFFTは、それぞれ１．２５、２．５、５、１０または２０メガヘルツ（ＭＨｚ）のシステム帯域幅に対して１２８、２５６、５１２、１０２４または２０４８に等しい。
【００４２】
多元接続ワイヤレス通信システム４００は、ＦＤＤまたはＴＤＤを使用しうる。ＦＤＤの場合、ダウンリンク４２２、４４２および４５２とアップリンク４２４、４４４および４５４とは別々の周波数チャネルを割り振られる。ダウンリンク送信とアップリンク送信とは２つの周波数チャネル上で同時に送られる。ＴＤＤの場合、ダウンリンク４２２、４４２および４５２とアップリンク４２４、４４４および４５４とは同じ周波数チャネルを共有する。ダウンリンク送信とアップリンク送信とは異なる時間間隔中に同じ周波数チャネル上で送られる。
【００４３】
ｅＮＢ４０４ａと、モバイルリレー４２０ａと、アクセス端末４０６ｂとを含むシステムにおいてモバイルリレーをハンドオーバするための同期タイミングの調整は、１つまたは複数のタイミング調整プロシージャによって行われる。タイミング調整プロシージャは、（１）モバイルリレー４２０ａが、モバイルリレー４２０ａをｅＮＢ４０４ａにハンドオーバし、次いでアクセス端末４０６ｂをモバイルリレー４２０ａに戻すより前に、アクセス端末４０６ｂをｅＮＢ４０４ａにハンドオーバする（たとえば、モバイルリレー４２０ａによってサービスされるアクセス端末４０６ｂをｅＮＢ４０４ａにハンドオーバする）ことと、（２）モバイルリレー４２０ａが、同期タイミング変更をアクセス端末４０６ｂに通知することなしに、バックホールリンク４４２および４４４とアクセスリンク４５２および４５４との同期タイミングを同時に調整することと、（３）モバイルリレー４２０ａが、特定の処理プロシージャを実装する、アクセス端末４０６ｂへのアクセス端末通知と同時に、バックホールリンク４４２および４４４とアクセスリンク４５２および４５４との同期タイミングを調整することと、（４）モバイルリレー４２０ａが、バックホールリンク４４２および４４４の同期タイミングを調整すること（たとえば、バックホールリンク４４２および４４４のみ、アクセスリンク４５２および４５４への同期タイミング調整を除く）と、（５）モバイルリレー４２０ａが、バックホールリンク４４２および４４４とアクセスリンク４５２および４５４との同期タイミングを連続的に調整することと、（６）項目（１）〜（５）で概説した同じまたは同様のタイミング調整プロシージャとマルチキャリアハンドオーバプロセスとの併用とを含む。たとえば、各調整プロシージャは、第１のネットワークアクセスポイントから第２のネットワークアクセスポイントへのモバイルリレーのカバレージの再配置と、非同期ネットワーク中のモバイルリレーの同期タイミングの調整とを可能にする。これらのタイミング調整プロシージャの各々について、以下で詳細で説明する。
【００４４】
任意のタイミング調整プロシージャが使用されることと、ｅＮＢ４０４ａ、ｅＮＢ４０４ｂまたはモバイルリレー４２０ａによってタイミング調整のために特定のタイミング調整プロシージャが、たとえば受信信号強度を含む動作属性に基づいて動的に選択されることとが企図される。選択されたタイミングプロシージャは、特に（１）ハンドオーバ間隔、（２）データ転送、（３）バッファ要件、または（４）無線リンク障害を低減するように選択される。
【００４５】
図６は、様々な例示的な実施形態による、モバイルリレー、アクセス端末、およびソース／ターゲットネットワークアクセスポイントの間の例示的なメッセージ交換６００を示すタイミング図である。
【００４６】
図６を参照すると、ブロック６１０において、ソースｅＮＢまたはＮＡＰ４０４ａは、モバイルリレー４２０ａがソースｅＮＢ４０４ａからターゲットｅＮＢ４０４ｂにハンドオーバされるべきであることを示すハンドオーバコマンド（たとえば、命令）をモバイルリレー４２０ａに送る。ブロック６１０より前に、モバイルリレー４２０ａは、たとえば、ターゲットｅＮＢ４０４ｂからの信号を検出し、検出された信号から、ターゲットｅＮＢ４０４ｂへのハンドオーバが望ましいと決定する。
【００４７】
モバイルリレー４２０ａは、モバイルリレー４２０ａがターゲットｅＮＢ４０４ｂにハンドオーバされるべきであるという要望を示す通信（図示せず）をソースｅＮＢ４０４ａに送る。通信は、ターゲットｅＮＢ４０４ｂにハンドオーバされるデザイアビリティを決定するためにモバイルリレー４２０ａによって使用される他の情報、たとえば（１）ターゲットｅＮＢ信号の強度（たとえば、ソースｅＮＢ信号に対するターゲットｅＮＢ信号の相対的な強度、または所定のしきい値に対するターゲットおよびソースｅＮＢ４０４ａ信号の強度）、および／または（２）間隔にわたる、ターゲットｅＮＢ信号およびソースｅＮＢ信号の強度の相対的変化を含む。ソースｅＮＢ４０４ａは、通信中の情報と他の動作パラメータ（たとえば、特に（１）（ソースｅＮＢ４０４ａによってサービスされるアクセス端末の数などの）負荷情報、（２）チャネル推定値、および／または（３）動作ステータス）とから、ブロック６１０においてハンドオーバコマンドを開始すべきかどうかを決定する。たとえば、モバイルリレー４２０ａは、ｅＮＢ４０４ａ（第１のＮＡＰ）からｅＮＢ４０４ｂ（第２のＮＡＰ）にモバイルリレー４２０ａをハンドオーバするためのハンドオーバ動作が開始されるべきであるかどうかを決定する。決定は、ハンドオーバ動作を開始するようにモバイルリレー４２０ａに命令する、（１）第２のＮＡＰからの信号レベル、または（２）第１のＮＡＰからのハンドオーバ命令のうちの１つをモバイルリレーによって検出することを含む。
【００４８】
ブロック６１５において、ソースｅＮＢ４０４ａはモバイルリレー４２０ａとの通信（たとえば、すべての通信）を停止する。代替的に、いくつかの例示的な実施形態では、ターゲットｅＮＢ４０４ｂへのモバイルリレー４２０ａのハンドオーバが完了するまで、ソースｅＮＢ４０４ａとモバイルリレー４２０ａとの間の通信が続くソフトハンドオーバが実装される。ブロック６２０において、アクセス端末４０６ｂを（たとえば、ターゲットｅＮＢ４０４ｂの）マクロセルにハンドオーバするためのハンドオーバコマンドが、モバイルリレー４２０ａによってサービスされるアクセス端末４０６ｂに送られる。ブロック６２５において、アクセス端末４０６ｂは、ハンドオーバコマンドが適切に受信され、復号されたという肯定応答（たとえば、ＨＡＲＱ肯定応答）をモバイルリレー４２０ａに送る。
【００４９】
ブロック６３０において、アクセス端末４０６ｂは、ターゲットｅＮＢ４０４ｂに関連する信号（たとえば、ターゲットｅＮＢ４０４ｂ自体からの信号、またはターゲットｅＮＢ４０４ｂに関連する同期タイミングをもつ別の信号）を探索し、ターゲットｅＮＢ４０４ｂに合わせてタイミングをロックする（たとえば、同期させる）。すなわち、アクセス端末４０６ｂは、その同期タイミングをターゲットｅＮＢ４０４ｂの同期タイミングに調整する。そのような同期のための多くの技法が存在すること、たとえば、同期は、ターゲットｅＮＢ４０４ｂからの入来信号中の既知のパイロットシンボル、入来信号中の同期情報および／または入来信号のフレーム構造の決定の相関に基づくことが、当業者にはよって理解される。
【００５０】
いくつかの例示的な実施形態では、ハンドオーバ動作中に、（１）ＲＡＣＨを使用するための時間および周波数（たとえば、時間および周波数割当て）を識別する、ハンドオーバコマンド中のランダムアクセスチャネル（ＲＡＣＨ）オケージョン情報を送ることと、（２）アクセス端末４０６ｂによって探索プロシージャを使用してターゲットｅＮＢ４０４ｂの同期タイミングを取得することとによって、アクセス端末４０６ｂとターゲットｅＮＢ４０４ｂとの間のリンクが確立される。ソースｅＮＢ４０４ａおよび／またはターゲットｅＮＢ４０４ｂは、ブロック６３０において、探索プロシージャ中に他の近隣アクセス端末の時間および周波数割当てを制御するために、１つまたは複数のコマンドを他の近隣アクセス端末に送る。様々な例示的な実施形態では、ソースｅＮＢ４０４ａおよび／またはターゲットｅＮＢ４０４ｂは、ターゲットｅＮＢ４０４ｂに関連する入来信号の信号対雑音比を改善するために、（通信リンク／チャネル上でアクセス端末４０６ｂによって探索された）近隣アクセス端末を消音する。
【００５１】
ブロック６３５において、アクセス端末４０６ｂとターゲットｅＮＢ４０４ｂとの間のＲＡＣＨおよびハンドオーバ動作が完了し、ブロック６４０において、データ通信が再開される。すなわち、アクセス端末４０６ｂとモバイルリレー４２０ａとの間からのデータ通信は、アクセス端末４０６ｂとターゲットｅＮＢ４０４ｂとの間に転送される。
【００５２】
ブロック６４５において、モバイルリレー４２０ａは、ターゲットｅＮＢ４０４ｂに関連する信号（たとえば、ターゲットｅＮＢ４０４ｂ自体からの信号、またはターゲットｅＮＢ４０４ｂに関連する同期タイミングをもつ別の信号）を探索し、ターゲットｅＮＢ４０４ｂに合わせてタイミングをロックする。ブロック６２５において、モバイルリレー４２０ａは、肯定応答の受信に基づいて探索およびロックプロセスを開始する。すなわち、探索およびロックプロセスは、肯定応答の受信、または肯定応答の受信後の所定の遅延期間に応答して開始される。ブロック６５０において、モバイルリレー４２０ａとターゲットｅＮＢ４０４ｂとの間のＲＡＣＨおよびハンドオーバ動作が完了する。ブロック６５５において、モバイルリレー４２０ａとターゲットｅＮＢ４０４ｂとの間のデータ通信が再開される。
【００５３】
ブロック６６０において、ターゲットｅＮＢ４０４ｂは、アクセス端末４０６ｂがターゲットｅＮＢ４０４ｂからモバイルリレー４２０ａにハンドオーバされるべきであることを示すハンドオーバコマンドをアクセス端末４０６ｂに送る。ブロック６６５において、アクセス端末４０６ｂは肯定応答（たとえば、ＨＡＲＱ肯定応答）をターゲットｅＮＢ４０４ｂに送る。
【００５４】
ブロック６７０において、アクセス端末４０６ｂとモバイルリレー４２０ａとの間のＲＡＣＨおよびハンドオーバ動作が完了する。ブロック６７５において、アクセス端末４０６ｂとモバイルリレー４２０ａとの間のデータ通信が再開される。
【００５５】
図６に関して説明したタイミング調整プロシージャは、一般に、マルチメディアブロードキャストマルチキャストサービス単一周波数ネットワーク（ＭＢＳＦＮ）とブランクサブフレームの両方をサポートするだけでなく、レガシーアクセス端末（ＵＥ）をサポートする。
【００５６】
メッセージ交換６００中に１つのアクセス端末が含まれているが、そのような交換中に２つ以上のアクセス端末が含まれ得ることと、そのようなアクセス端末は、同時にまたは連続的に完了するタイミング調整プロシージャを有し得ることとが、当業者によって理解される。
【００５７】
図７は、様々な例示的な実施形態による、モバイルリレー、アクセス端末、およびソース／ターゲットネットワークアクセスポイントの間の別の例示的なメッセージ交換７００を示すタイミング図である。
【００５８】
図７を参照すると、ブロック７１０において、ソースｅＮＢ４０４ａは、モバイルリレー４２０ａがソースｅＮＢ４０４ａからターゲットｅＮＢ４０４ｂにハンドオーバされるべきであることを示すハンドオーバコマンドをモバイルリレー４２０ａに送る。ブロック７１５において、ソースｅＮＢ４０４ａはモバイルリレー４２０ａとの通信（たとえば、すべての通信）を停止する。
【００５９】
ブロック７２０において、モバイルリレー４２０ａは、ターゲットｅＮＢ４０４ｂに関連する信号（たとえば、ターゲットｅＮＢ４０４ｂ自体からの信号、またはターゲットｅＮＢ４０４ｂに関連する同期タイミングをもつ別の信号）を探索し、ターゲットｅＮＢ４０４ｂに合わせてタイミングをロックする（たとえば、同期させる）。ブロック７１０において、モバイルリレー４２０ａは、ハンドオーバコマンドの受信に基づいて探索およびロックプロセスを開始する。たとえば、モバイルリレー４２０ａは、受信信号からターゲットｅＮＢ４０４ｂに関連する同期タイミングを決定し、モバイルリレー４２０ａの同期タイミングを、決定された同期タイミングにロックする。
【００６０】
ブロック７２５において、モバイルリレー４２０ａとターゲットｅＮＢ４０４ｂとの間のＲＡＣＨおよびハンドオーバ動作が完了され、ブロック７３０において、モバイルリレー４２０ａとソースｅＮＢ４０４ａとの間からのデータ通信が、モバイルリレー４２０ａとターゲットｅＮＢ４０４ｂとの間に転送されるように、データ通信が再開される。ハンドオーバ動作中に、バックホールリンク４４２および４４４とアクセスリンク４５２および４５４の両方の同期タイミングは同時に調整され、モバイルリレー４２０ａと（たとえば、モバイルリレー４２０ａによってサービスされる）アクセス端末４０６ｂとの間のアクセスリンク４５２および４５４上で同期の欠如を引き起こす。
【００６１】
ブロック７３５において、アクセス端末４０６ｂは、モバイルリレー４２０ａとの同期の欠如により無線リンク障害を経験する。ブロック７４０において、アクセス端末４０６ｂは、ワイヤレスネットワーク４００を再結合するための新しいサービングセル（たとえば、モバイルリレーまたはｅＮＢ）を探索し、上記で説明した探索、ロックおよびＲＡＣＨプロシージャを使用して、新しいサービングセルとの再結合プロセスを完了する。
【００６２】
アクセス端末４０６ａおよび４０６ｂの各々は、ＲＬＦタイマーコマンドに基づいて調整される無線リンク障害（ＲＬＦ）タイマーを含む。ＲＬＦ障害がモバイルリレー４２０ａのアクセスリンク４５２および４５４の同期タイミング調整により生じることが意図されるとき、ソースｅＮＢ４０４ａまたはモバイルリレー４２０ａは、アクセス端末４０６ｂのサービス停止期間を低減するためにＲＬＦタイマーコマンドを送る。ＲＬＦ時間期間が満了した後、アクセス端末４０６ｂは新しいサービングセルを探索する。モバイルリレー４２０ａのアクセスリンク４５２および４５４の同期タイミング調整の後、新しいサービングセルは、前のサービングセルと同じセルである可能性があり、モバイルリレー４２０ａは再びアクセス端末４０６ｂをサービスする。
【００６３】
図７に関して説明したタイミング調整プロシージャは、一般に、ＭＢＳＦＮサブフレームとブランクサブフレームの両方をサポートするだけでなく、レガシーアクセス端末（ＵＥ）をサポートする。
【００６４】
いくつかの例示的な実施形態では、モバイルリレー４２０ａは、アクセス端末４０６ｂの無線リンク障害を生じることがあるバックホールリンク４４２および４４４とアクセスリンク４５２および４５４の両方の同期タイミングを同時に調整する。代替的に、モバイルリレー４２０ａがバックホールリンク４４２および４４４（たとえば、バックホールリンク４４２および４４４のみ）の同期タイミングを調整し、アクセスリンク４５２および４５４の同期タイミングを維持することも企図される。アクセスリンク４５２および４５４の同期タイミングが維持される（永続的にまたは一時的に不変である）場合、無線リンク障害が回避されることを、当業者は理解されたい。図７では、アクセスリンク４５２および４５４のための同期タイミングが維持される場合、メッセージ交換７００におけるブロック７３５および７４０はなくされる。しかしながら、そのような構成では、バックホールリンク４４２および４４４とアクセスリンク４５２および４５４とは互いに非同期的に動作する。アクセスリンクの同期タイミングが維持されるこの構成は、一般に、（１）レガシーアクセス端末（ＵＥ）をサポートし、（２）ハンドオーバによるサービス中断を実質的になくし、（３）アイドル状態アクセス端末のための再選択をなくし、（４）モバイルリレーのための高速ハンドオーバプロシージャを与える。
【００６５】
バックホールサブフレームのための選定は既存のアクセスリンクサブフレーム割当てを条件とする。いくつかの例示的な実施形態では、フレームの部分がバックホールリンク４４２および４４４とアクセスリンク４５２および４５４の両方のために共有される。いくつかのサブフレーム、たとえばサブフレーム０、４、５、および９は、アクセスリンク４５２および４５４に割り当てられる。フレーム構造の残りの部分はバックホールサブフレームに割り当てられる。フレーム内のタイミングは非同期であるので、バックホールサブフレームとアクセスサブフレームとは交換可能でない。
【００６６】
いくつかの例示的な実施形態では、バックホールリンク４４２および４４４とアクセスリンク４５２および４５４とが非同期的に動作することにより効率を高めるために、バックホールサブフレームは各フレーム中で連続して設定される。たとえば、物理ランダムアクセスチャネル（ＰＲＡＣＨ）は２つのアップリンクバックホールサブフレームにわたって拡張し、および／またはランダムアクセス応答（ＲＡＲ）は２つのダウンリンクバックホールサブフレームにわたって拡張する。すなわち、バックホールリンクの各々について複数の連続サブフレームが確立される。
【００６７】
いくつかの例示的な実施形態では、ソースセルが、アクセスリンク上のサービスを中断することなしにターゲットセル中の適切なＲＡＣＨオケージョンとバックホールリソースとを要求するように、モバイルリレー４２０ａはターゲットセル同期タイミングをソースセルに報告しなければならない。
【００６８】
図８は、モバイルリレー、アクセス端末、およびソース／ターゲットネットワークアクセスポイントの間のさらなる例示的なメッセージ交換８００を示すタイミング図であり、様々な例示的な実施形態による時間調整メッセージを含む。時間調整メッセージは特定の処理プロシージャを実装する。
【００６９】
図８を参照すると、ブロック８１０において、ソースｅＮＢ４０４ａは、モバイルリレー４２０ａがソースｅＮＢ４０４ａからターゲットｅＮＢ４０４ｂにハンドオーバされるべきであることを示すハンドオーバコマンドをモバイルリレー４２０ａに送る。ブロック８１５において、ソースｅＮＢ４０４ａはモバイルリレー４２０ａとの通信（たとえば、すべての通信）を停止する。
【００７０】
ブロック８２０において、モバイルリレー４２０ａは、モバイルリレー４２０ａによってサービスされるアクセス端末４０６ｂに、サービス中断ギャップ（たとえば、または間隔）がターゲットｅＮＢ４０４ｂへのモバイルリレー４２０ａのハンドオーバのために定義されるタイミング調整メッセージをブロードキャストする。時間調整メッセージは、アクセス端末４０６ｂにサービス中断を通知し、モバイルリレー４２０ａとのアクセスリンク４５２および４５４を復旧するための再同期時間を定義する。
【００７１】
ブロック８２５において、モバイルリレー４２０ａは、ターゲットｅＮＢ４０４ｂに関連する信号（たとえば、ターゲットｅＮＢ４０４ｂ自体からの信号、またはターゲットｅＮＢ４０４ｂに関連する同期タイミングをもつ別の信号）を探索し、ターゲットｅＮＢ４０４ｂに合わせてタイミングをロックする。ブロック８１０において、モバイルリレー４２０ａは、ハンドオーバコマンドの受信に基づいて探索およびロックプロセスを開始する。
【００７２】
ブロック８３０において、モバイルリレー４２０ａとターゲットｅＮＢ４０４ｂとの間のＲＡＣＨおよびハンドオーバ動作が完了され、ブロック８３５において、モバイルリレー４２０ａとソースｅＮＢ４０４ａとの間からのデータ通信がモバイルリレー４２０ａとターゲットｅＮＢ４０４ｂとの間に転送されるように、データ通信が再開される。ハンドオーバ動作中に、バックホールリンク４４２および４４４とアクセスリンク４５２および４５４の両方の同期タイミングは同時に調整され、モバイルリレー４２０ａとアクセス端末４０６ｂとの間の同期の欠如を生じる。
【００７３】
サービス中断ギャップの終了時に（たとえば、再同期時間に）、アクセス端末４０６ｂはそれの同期タイミングを調整する。同期タイミングの調整は、ブロック８２０におけるブロードキャストメッセージ中で送られる同期情報を使用して行われる。すなわち、アクセス端末４０６ｂとモバイルリレー４２０ａとの間からのデータ通信は、サービス中断ギャップ後に復旧される。
【００７４】
たとえば、モバイルリレー４２０ａの同期タイミングを調整することがサービス中断間隔の終了より前に行われるように、モバイルリレー４２０ａは、それの同期タイミングを示す同期情報と、ターゲットｅＮＢ４０４へのモバイルリレー４２０ａのハンドオーバのためのサービス中断間隔を定義するサービス中断情報とをブロードキャストする。サービス中断間隔後に、１つまたは複数のアクセス端末４０６ｂの同期タイミングは、同期情報中の同期タイミングに従って調整される。
【００７５】
代替的に、（１）（たとえば、モバイルリレー４２０ａまたはターゲットｅＮＢ４０４ｂから）ターゲットｅＮＢ４０４ｂに同期させられた入来信号を探索することと、（２）モバイルリレー４２０ａとのアクセスリンク４５２および４５４を復旧するために入来信号タイミングにタイミングをロックすることと、（３）アクセス端末４０６ｂとモバイルリレー４２０ａとの間のＲＡＣＨおよびハンドオーバ動作を完了することと、（４）データ通信を再開することとによって、アクセス端末４０６ｂの同期タイミングが調整される。
【００７６】
図８に関して説明したタイミング調整プロシージャは、一般に、ＭＢＳＦＮサブフレームとブランクサブフレームの両方をサポートし、サービス中断の時間を低減する。
【００７７】
いくつかの例示的な実施形態では、モバイルリレー４２０ａがＲＡＣＨプロシージャ後にさらなる同期タイミング調整を行なうので、アクセス端末４０６ｂはそれのアップリンク同期を改良する。
【００７８】
様々な例示的な実施形態では、モバイルリレー４２０ａは、ハンドオーバ動作を介してターゲットｅＮＢ４０４ｂにハンドオーバされ、そのハンドオーバ動作では、モバイルリレー４２０ａがバックホールリンク４４２および４４４の同期タイミングを調整し、一時的に（すなわち、非同期移行期間（たとえば、所定の期間）の間）アクセスリンク４５２および４５４の同期タイミングを維持する。モバイルリレー４２０ａは、異なるバックホール／アクセスリンク同期タイミングをもつ非同期移行期間中に動作する。非同期移行期間後に、モバイルリレー４２０ａは、アクセスリンク４５２および４５４上の同期タイミングを調整する。同期タイミングを調整するための異なる方法は、たとえば、（１）（たとえば、約１秒〜約５０秒の範囲内で）アクセスリンク同期タイミングを遅く調整すること、または（２）非同期移行期間中に、アクセス端末４０６ｂがモバイルリレーにハンドオーバされる時間をモバイルリレー４２０ａによってサービスされるアクセス端末４０６ｂに通知するハンドオーバコマンドを、モバイルリレー４２０ａがアクセス端末４０６ｂに送ることを含む。モバイルリレー４２０ａは、モバイルリレー４２０ａがアクセスリンク同期タイミングを切り替える場合を決定する。すなわち、アクセス同期タイミングが調整された後、ハンドオーバコマンドはアクセス端末４０６ｂにＲＡＣＨプロシージャを開始するように命令する。たとえば、アクセスリンクの「遅い」タイミング調整は、アクセス端末４０６ｂの同期タイミングに関連するスキューレートによるレートにおいて調整される。すなわち、同期タイミングは、アクセス端末４０６ｂがアクセスリンク同期タイミングの調整に気づかないほど十分に遅いレートにおいて調整される。たとえば、それぞれのアクセスリンクの同期タイミングの調整は、モバイルリレーと、移行期間中に（たとえば、移行期間全体中に）それぞれのアクセスリンクに関連するアクセス端末との間のデータ通信を維持するのに十分に遅いレートにおいてである。
【００７９】
いくつかの例示的な実施形態では、モバイルリレー４２０ａは、１つまたは複数のバックホールリンク４４２および４４４を使用して、ネットワークアクセスポイント４０４ａまたは４０４ｂと通信し、１つまたは複数のアクセスリンク４５２および４５４を使用して、１つまたは複数のアクセス端末４０６ｂの各々と通信する。１つまたは複数のアクセス端末４０６ｂに関連するモバイルリレー４２０ａの各アクセスリンクについて、モバイルリレー４２０ａは、調整されているモバイルリレー４２０ａのバックホールリンク４４２および４４４に関連する同期タイミングに応答して、移行期間中に現在の同期タイミングから異なる同期タイミングにアクセスリンク４５２および４５４の同期タイミングを移行させる。
【００８０】
いくつかの例示的な実施形態では、複数のアクセス端末が移行しているとき、異なるアクセス端末は、ハンドオーバコマンド中の情報を介してモバイルリレー４２０ａによって決定された順番でＲＡＣＨプロシージャを開始する。たとえば、モバイルリレー４２０ａは、１つまたは複数のアクセス端末４０６ｂの各々がモバイルリレー４２０ａにハンドオーバされる順番を決定し、決定された順番で所定の時間後にモバイルリレー４２０ａによってサービスされる１つまたは複数のアクセス端末４０６ｂをハンドオーバするために、ＲＡＣＨプロシージャを開始する。
【００８１】
前のＲＡＣＨオケージョン上のアクセス端末ＲＡＣＨを回避するために、新しい物理セル識別子（ＰＣＩ）が使用される。図９は、バックホールおよびアクセスリンク同期タイミングが、様々な例示的な実施形態による新しいＰＣＩを使用して連続的に調整される、モバイルリレー、アクセス端末、およびソース／ターゲットネットワークアクセスポイントの間のさらに別の例示的なメッセージ交換を示すタイミング図である。
【００８２】
図９を参照すると、ブロック９１０において、ソースｅＮＢ４０４ａは、モバイルリレー４２０ａがソースｅＮＢ４０４ａからターゲットｅＮＢ４０４ｂにハンドオーバされるべきであることを示すハンドオーバコマンドをモバイルリレー４２０ａに送る。ブロック９１５において、ソースｅＮＢ４０４ａはモバイルリレー４２０ａとの通信（たとえば、すべての通信）を停止する。ブロック９２０において、ハンドオーバコマンドが、モバイルリレー４２０ａによってサービスされるアクセス端末４０６ｂに、モバイルリレー４２０ａによって送られる。ハンドオーバコマンドは、アクセス端末４０６ｂがＰＣＩ＿ｂのＰＣＩをもつ新しいマクロセルへのハンドオーバを開始する時間を、アクセス端末４０６ｂに通知する。たとえば、その時間は、（１）モバイルリレー４２０ａがアクセスリンク同期タイミングを切り替える時間に基づく遅延間隔、または（２）モバイルリレー４２０ａによって選択される時間である。すなわち、モバイルリレーアクセスリンク同期タイミングが調整された後、ハンドオーバコマンドは、ハンドオーバプロシージャのための新しいＰＣＩ（すなわち、ＰＣＩ＿ｂ）を含み、（（ＰＣＩ＿ｂ）のＰＣＩに対応する）新しいセルにリンクするためのＲＡＣＨプロシージャを開始するようにアクセス端末４０６ｂに命令する。
【００８３】
ブロック９２５において、アクセス端末４０６ｂは肯定応答（たとえば、ＨＡＲＱ肯定応答）をモバイルリレー４２０ａに送る。ブロック９３０において、モバイルリレー４２０ａは、古いＰＣＩ（すなわち、ＰＣＩ＿ａ）を使用して送信することを停止し、新しいＰＣＩ（ＰＣＩ＿ｂ）に対応する新しいセルからの信号を探索し、その新しいセルに合わせてロックすることによって、新たに調整されたタイミングをもつ新しいＰＣＩ（ＰＣＩ−ｂ）を使用して送信することを開始する。ブロック９３５において、アクセス端末４０６ｂは、新しいＰＣＩ（ＰＣＩ＿ｂ）からの信号を探索し、そのような信号に合わせてタイミングをロックする。すなわち、アクセス端末４０６ｂは、それの同期タイミングを、新しいＰＣＩ（ＰＣＩ＿ｂ）に対応する新しいセルの同期タイミングに調整する。ブロック９４０において、モバイルリレー４２０ａと（新しいＰＣＩ（ＰＣＩ＿ｂ）を有する）ターゲットｅＮＢ４０４ｂとの間のＲＡＣＨおよびハンドオーバ動作が完了され、ブロック９４５において、アクセス端末４０６ｂと（次に新しいＰＣＩ（ＰＣＩ＿ｂ）をも使用する）モバイルリレー４２０ａとの間のＲＡＣＨおよびハンドオーバ動作が完了される。
【００８４】
ブロック９５０および９５５において、アクセス端末４０６ｂとモバイルリレー４２０ａとの間のデータ通信、およびモバイルリレー４２０ａとターゲットｅＮＢ４０４ｂとの間のデータ通信がそれぞれ再開される。
【００８５】
２つの同期信号が、異なるＰＣＩおよびタイミングを用いて同時に送信されることと、モバイルリレー４２０ａがそれのハンドオーバ動作を完了する前に新しいＰＣＩのタイミングが取得されることとが企図される。
【００８６】
図９に関して説明したタイミング調整プロシージャは、レガシーアクセス端末をサポートし、バッファ転送を使用せず、マクロネットワークハンドオーバ動作よりも良好に実行する。
【００８７】
いくつかの例示的な実施形態では、アクセス端末は、アクセスタイミングを切り替えるためのアクセスプロシージャを実装する前にダウンリンク同期を取得するために、１次同期信号（ＰＳＳ）および／または２次同期信号（ＳＳＳ）を探索する。
【００８８】
図９中のブロックは連続的に示されているが、ブロックの多くは同時に（たとえば、並列に）実行されることが企図される。たとえば、ブロック９１５および９２０は同時に実行され、ブロック９３０および９３５は同時に実行され、および／またはブロック９４０および９４５は同時に実行される。
【００８９】
たとえば、モバイルリレー４２０ａは、モバイルリレー４２０ａによってサービスされる１つまたは複数のアクセス端末４０６ｂにハンドオーバコマンドを送る。ハンドオーバコマンドは、１つまたは複数のアクセス端末をサービスするセルとは異なる新しいセルの新しいＰＣＩ（たとえば、ＰＣＩ＿ｂ）を示す。１つまたは複数のアクセス端末４０６ｂの各々は、ＰＣＩ＿ｂの新しいＰＣＩに対応する新しいセルからの信号を探索し、１つまたは複数のアクセス端末４０６ｂの各々の同期タイミングが、決定される同期タイミングにロックされるように、新しいセルの信号から同期タイミングを決定する。
【００９０】
非同期ネットワークの場合（すなわち、ｅＮＢが異なる同期タイミングで動作する場合）のメッセージ交換を示したが、メッセージ交換は同期ネットワークにも適用し得ることが企図される。より詳細には、同じセルへのハンドオーバ動作は、異なるキャリアを用いた同じセルへのハンドオーバ動作に比較される。同期ネットワークでは、新しいｅＮＢへのハンドオーバ時に、新しいｅＮＢに適応するために、モバイルリレーが、バックホールダウンリンクとバックホールアップリンクの両方の上でそのタイミングを調整している。調整は、アクセスサブフレームとバックホールサブフレームとの間のある程度の不整合を生じる。したがって、モバイルリレーも、同期ネットワークハンドオーバ動作におけるそのアクセスリンクタイミングを調整する。
【００９１】
図１０は、モバイルリレー３１０のためのタイミングを調整する例示的な方法１０００を示すフローチャートである。図１０を参照すると、ブロック１０１０において、複数のアクセス端末（たとえば、ＵＥ３１６および３１８）がモバイルリレー３１０に関連する（たとえば、モバイルリレー３１０によってサービスされる）。モバイルリレー３１０はモバイルプラットフォーム３２０上に配置される。ブロック１０２０において、モバイルリレー３１０は、それの測位／関連カバレージエリアがソースｅＮＢ３１２からターゲットｅＮＢ３１４に転送されるように移動される。たとえば、モバイルリレー３１０のカバレージを再配置することは、ソースｅＮＢ３１２（第１のＮＡＰ）に関連する第１の領域、およびターゲットｅＮＢ３１４（第２のＮＡＰ）に関連する第２の領域の内側でモバイルリレー３１０を移動することを含む。
【００９２】
モバイルリレー３１０の移動（たとえば、再測位）中、ターゲットｅＮＢ３１４がソースｅＮＢ３１２に対して非同期である場合、接続された状態のアクセス端末３１６および３１８へのサービス中断を緩和するために、ブロック１０３０において、モバイルリレー３１０はそれの同期タイミング（たとえば、サブフレームタイミング）を調整する。たとえば、モバイルリレー３１０の同期タイミングの調整は、（１）モバイルリレー３１０によって、第２のＮＡＰ（ｅＮＢ３１４）に関連する同期タイミングを示す信号を受信することと、（２）第２のＮＡＰ３１４に関連する同期タイミングに従ってモバイルリレー３１０の同期タイミングを調整することとを含む。
【００９３】
いくつかの例示的な実施形態では、論理チャネルは、制御チャネルとトラフィックチャネルとに分類される。論理制御チャネルは、（１）システム制御情報をブロードキャストするためのＤＬチャネルであるブロードキャスト制御チャネル（ＢＣＣＨ）、（２）ページング情報を転送するＤＬチャネルであるページング制御チャネル（ＰＣＣＨ）、および／または（３）１つまたは複数のマルチキャストトラフィックチャネル（ＭＴＣＨ）のためのマルチメディアブロードキャストおよびマルチキャストサービス（ＭＢＭＳ）スケジューリングおよび制御情報を送信するために使用されるポイントツーマルチポイントＤＬチャネルであるマルチキャスト制御チャネル（ＭＣＣＨ）を備える。概して、無線リソース制御（ＲＲＣ）接続を確立した後、このチャネルは、（たとえば、ＭＣＣＨよＭＢＭＳ制御チャネル（ＭＳＣＨ）を含む）ＭＢＭＳを受信するアクセス端末（ＵＥ）によって使用される。
【００９４】
専用制御チャネル（ＤＣＣＨ）は、専用制御情報を送信するポイントツーポイント双方向チャネルであり、ＲＲＣ接続を有するアクセス端末（ＵＥ）によって使用される。いくつかの例示的な実施形態では、論理トラフィックチャネルは、ユーザ情報の転送のための１つのアクセス端末（ＵＥ）に専用の、ポイントツーポイント双方向チャネルである専用トラフィックチャネル（ＤＴＣＨ）、またはトラフィックデータを送信するためのポイントツーマルチポイントダウンリンクチャネルのためのマルチキャストトラフィックチャネルＭＴＣＨを備える。
【００９５】
様々な例示的な実施形態では、トランスポートチャネルは、ダウンリンク（ＤＬ）とアップリンク（ＵＬ）とに分類される。ＤＬトランスポートチャネルは、ブロードキャストチャネル（ＢＣＨ）、ダウンリンク共有データチャネル（ＤＬ−ＳＤＣＨ）、および／またはページングチャネル（ＰＣＨ）を備える。ＰＣＨは、アクセス端末電力節約（ネットワークによってアクセス端末に示されるＤＲＸサイクル）をサポートし、セル全体にわたってブロードキャストされ、他の制御／トラフィックチャネルのために使用されるＰＨＹリソースにマッピングされる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。ＰＨＹチャネルは、ＤＬチャネルとＵＬチャネルとのセットを備える。
【００９６】
ＤＬ  ＰＨＹチャネルは、（１）共通パイロットチャネル（ＣＰＩＣＨ）、（２）同期チャネル（ＳＣＨ）、（３）共通制御チャネル（ＣＣＣＨ）、（４）共有ＤＬ制御チャネル（ＳＤＣＣＨ）、（５）マルチキャスト制御チャネル（ＭＣＣＨ）、（６）共有ＵＬ割当てチャネル（ＳＵＡＣＨ）、（７）肯定応答チャネル（ＡＣＫＣＨ）、（８）ＤＬ物理共有データチャネル（ＤＬ−ＰＳＤＣＨ）、（９）ＵＬ電力制御チャネル（ＵＰＣＣＨ）、（１０）ページングインジケータチャネル（ＰＩＣＨ）、および／または（１１）負荷インジケータチャネル（ＬＩＣＨ）を備える。ＵＬ  ＰＨＹチャネルは、（１）物理ランダムアクセスチャネル（ＰＲＡＣＨ）、（２）チャネル品質インジケータチャネル（ＣＱＩＣＨ）、（３）肯定応答チャネル（ＡＣＫＣＨ）、（４）アンテナサブセットインジケータチャネル（ＡＳＩＣＨ）、（５）共有要求チャネル（ＳＲＥＱＣＨ）、（６）ＵＬ物理共有データチャネル（ＵＬ−ＰＳＤＣＨ）、（７）ブロードバンドパイロットチャネル（ＢＰＩＣＨ）を備える。
【００９７】
様々な例示的な実施形態では、所与の時間に低いピーク対平均電力比（ＰＡＰＲ）を保つチャネル構造が与えられる。チャネルは、シングルキャリア波形の周波数プロパティにおいて連続するか、または一様に離間される。
【００９８】
開示されたタイミング調整プロシージャ中のステップの特定の順序または階層は、例示的な手法の一例であることを、当業者は理解されたい。設計の選好に基づいて、ステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００９９】
情報および信号は、様々な異なる技術および技法のいずれを使用しても表現され得ることを、当業者は理解されよう。たとえば、上記の説明全体にわたって言及され得るデータ、命令、コマンド、情報、信号、ビット、シンボル、および／またはチップは、電圧、電流、電磁波、磁界または磁性粒子、光場または光学粒子、あるいはそれらの任意の組合せによって表現され得る。さらに、本明細書で開示する例示的な実施形態に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１００】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０１】
本明細書で開示する実施形態に関して説明する方法またはアルゴリズムのステップは、直接ハードウェアで実施されるか、プロセッサによって実行されるソフトウェアモジュールで実施されるか、またはその２つの組合せで実施される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１０２】
開示した実施形態の上記の説明は、当業者が本開示を実施または使用できるようにするために提供したものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示した原理および新規の特徴に一致する最も広い範囲を与られるべきである。
【０１０３】
１つまたは複数の例示的な実施形態では、説明した機能はハードウェア、ソフトウェア、ファームウェア、またはそれらの任意の組合せで実装され得る。ソフトウェアで実装された場合、機能は、コンピュータ可読媒体上の１つまたは複数の命令またはコードとして記憶されるか、あるいは符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され、コンピュータによってアクセスされる、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コードセグメントは、プロシージャ、関数、サブプログラム、プログラム、ルーチン、サブルーチン、モジュール、ソフトウェアパッケージ、クラス、または命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、および／またはデータなどは、メモリ共有、メッセージパッシング、トークンパッシング、および／またはネットワーク送信などを含む適切な手段を使用してパス、フォワーディング、または送信され得る。
【０１０４】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され得、その場合、メモリユニットは、当技術分野で知られているように様々な手段を介してプロセッサに通信可能に結合され得る。
【図１】
2013502176.tif 000003
【図２】
2013502176.tif 000004
【図３】
2013502176.tif 000005
【図４】
2013502176.tif 000006
【図５】
2013502176.tif 000007
【図６】
2013502176.tif 000008
【図７】
2013502176.tif 000009
【図８】
2013502176.tif 000010
【図９】
2013502176.tif 000011
【図１０】
2013502176.tif 000012
【国際調査報告】
2013502176.tif 000013
2013502176.tif 000014
2013502176.tif 000015
2013502176.tif 000016
2013502176.tif 000017
2013502176.tif 000018